(57)【要約】【課題】車両を走行させて公演施設に向かう際に、公演施設で行われる公演と関係する再生情報を容易に再生することができるようにする。【解決手段】操作者の入力により目的地を設定する目的地設定処理手段と、目的地に基づいて経路を探索する経路探索処理手段と、目的地が公演施設であるかどうかを判断する目的地判定処理手段と、目的地が公演施設である場合、公演施設の情報に基づいて公演情報を取得する公演情報解析処理手段と、公演情報に基づいて、再生情報を取得する再生情報取得処理手段と、取得された再生情報を再生する再生処理手段とを有する。目的地が公演施設である場合、公演施設に基づいて再生情報が取得され、再生されるので、公演施設で行われる公演と関係する再生情報を容易に再生することができる。【選択図】図１
2009008669.tif 000002
【特許請求の範囲】
【請求項１】
操作者の入力により目的地を設定する目的地設定処理手段と、前記目的地に基づいて経路を探索する経路探索処理手段と、前記目的地が公演施設であるかどうかを判断する目的地判定処理手段と、前記目的地が公演施設である場合、公演施設の情報に基づいて公演情報を取得する公演情報解析処理手段と、前記公演情報に基づいて、再生情報を取得する再生情報取得処理手段と、取得された再生情報を再生する再生処理手段とを有することを特徴とする情報取得システム。
【請求項２】
前記公演情報解析処理手段は、情報センタに配設され、情報センタの記録部を参照して公演情報を取得する請求項１に記載の情報取得システム。
【請求項３】
前記再生情報取得処理手段は、ナビゲーション装置に配設され、ナビゲーション装置の記録部を参照して再生情報を検索し、前記記録部に再生情報がある場合に、記録部から再生情報を取得する請求項１に記載の情報取得システム。
【請求項４】
前記再生情報取得処理手段は、ナビゲーション装置の記録部に再生情報がない場合に、情報センタから再生情報を取得する請求項２に記載の情報取得システム。
【請求項５】
前記公演情報は楽曲の演奏曲順であり、楽曲を前記演奏曲順にソートする楽曲データ編集処理手段を有する請求項１に記載の情報取得システム。
【請求項６】
前記公演情報は音響パラメータであり、該音響パラメータに基づいてイコライザを設定する楽曲データ編集処理手段を有する請求項１に記載の情報取得システム。
【請求項７】
前記目的地判定処理手段は、今回設定された目的地が公演施設であるかどうかを判断し、今回設定された目的地が公演施設である場合、前記公演情報解析処理手段は、公演施設の情報に基づいて公演情報を取得する請求項１〜６のいずれか１項に記載の情報取得システム。
【請求項８】
前記目的地判定処理手段は、前回設定された目的地が公演施設であるかどうかを判断し、前回設定された目的地が公演施設である場合、前記公演情報解析処理手段は、公演施設の情報に基づいて公演情報を取得する請求項１〜６のいずれか１項に記載の情報取得システム。
【請求項９】
操作者の入力により目的地を設定し、該目的地に基づいて経路を探索し、前記目的地が公演施設であるかどうかを判断し、前記目的地が公演施設である場合、公演施設の情報に基づいて公演情報を取得し、該公演情報に基づいて、再生情報を取得し、取得された再生情報を再生することを特徴とする情報取得方法。
【請求項１０】
コンピュータを、操作者の入力により目的地を設定する目的地設定処理手段、前記目的地に基づいて経路を探索する経路探索処理手段、前記目的地が公演施設であるかどうかを判断する目的地判定処理手段、前記目的地が公演施設である場合、公演施設の情報に基づいて公演情報を取得する公演情報解析処理手段、前記公演情報に基づいて、再生情報を取得する再生情報取得処理手段、及び取得された再生情報を再生する再生処理手段として機能させることを特徴とするプログラム。
【発明の詳細な説明】
【技術分野】
【０００１】
本発明は、情報取得システム、情報取得方法及びプログラムに関するものである。
【背景技術】
【０００２】
従来、ナビゲーション装置においては、運転者が目的地を入力し、探索条件を設定すると、該探索条件に基づいて、経路探索処理が行われ、地図データに基づいて現在地で表される出発地から目的地までの経路が探索される。そして、探索された経路、すなわち、探索経路は、表示部に形成された地図画面に車両の現在地を表す自車位置と共に表示され、探索経路の案内、すなわち、経路案内が行われる。また、地図画面上の探索経路の表示のほかに、音声出力による経路案内も行われる。
【０００３】
したがって、運転者は表示された探索経路に沿って車両を走行させることができる。
【０００４】
そして、オーディオ機器とナビゲーション装置とを連携させて動作するようにしたナビゲーションシステムにおいては、運転者がオーディオ機器をオンにして、例えば、データ記録部に記録された楽曲を再生しているときに、必要に応じて音声による経路案内等を音声案内として出力することができるようになっている（例えば、特許文献１参照。）。
【特許文献１】特開２００４−１１７１７６号公報
【発明の開示】
【発明が解決しようとする課題】
【０００５】
しかしながら、前記従来のナビゲーションシステムにおいては、例えば、車両を走行させてコンサートホール、ライブ会場等の公演施設に向かう際に、公演施設で行われる公演としての演奏の楽曲、例えば、同じ演奏家、アーティスト等による演奏による楽曲を聴取する場合、操作部を操作してデータ記録部に記録された楽曲の中から所望の楽曲を再生情報として選択し、再生する必要があり、所望の楽曲を再生するための作業が煩わしい。
【０００６】
本発明は、前記従来のナビゲーションシステムの問題点を解決して、車両を走行させて公演施設に向かう際に、公演施設で行われる公演と関係する再生情報を容易に再生することができるようにした情報取得システム、情報取得方法及びそのプログラムを提供することを目的とする。
【課題を解決するための手段】
【０００７】
そのために、本発明の情報取得システムにおいては、操作者の入力により目的地を設定する目的地設定処理手段と、前記目的地に基づいて経路を探索する経路探索処理手段と、前記目的地が公演施設であるかどうかを判断する目的地判定処理手段と、前記目的地が公演施設である場合、公演施設の情報に基づいて公演情報を取得する公演情報解析処理手段と、前記公演情報に基づいて、再生情報を取得する再生情報取得処理手段と、取得された再生情報を再生する再生処理手段とを有する。
【発明の効果】
【０００８】
本発明によれば、目的地が設定され、経路が探索されると、目的地が公演施設であるかどうかが判断され、目的地が公演施設である場合、公演施設に基づいて再生情報が取得され、再生されるので、車両を走行させて公演施設に向かう際に、公演施設で行われる公演と関係する再生情報を容易に再生することができる。
【発明を実施するための最良の形態】
【０００９】
以下、本発明の実施の形態について図面を参照しながら詳細に説明する。
【００１０】
図１は本発明の第１の実施の形態におけるナビゲーションシステムを示す図である。
【００１１】
図において、１２はオーディオ機器、１４は、該オーディオ機器１２と接続され、オーディオ機器１２と連携させて車両に搭載された車載装置としての、かつ、情報端末としてのナビゲーション装置であり、該ナビゲーション装置１４は、ネットワーク６３を介して情報提供者としての情報センタ５１と接続される。なお、前記オーディオ機器１２、ナビゲーション装置１４、ネットワーク６３、情報センタ５１等によってナビゲーションシステムが構成される。
【００１２】
前記ナビゲーション装置１４は、車両の現在地を自車位置として、車両の方位を自車方位として検出する現在地検出部としてのＧＰＳセンサ１５、図示されない地図データのほかに各種の情報が記録された記録部としてのデータ記録部１６、ナビゲーション処理等の各種の演算処理を行うナビゲーション処理部１７、操作者である運転者が操作することによって所定の入力を行うための第１の入力部としての操作部３４、図示されない画面に表示された画像によって各種の表示を行い、運転者に通知するための第１の出力部としての表示部３５、運転者が音声によって所定の入力を行うための第２の入力部としての音声入力部３６、音声出力を行い、各種の情報を運転者に通知するための第２の出力部としての音声出力部３７、及び通信端末として機能する送受信部としての通信部３８を備え、前記ナビゲーション処理部１７に、ＧＰＳセンサ１５、データ記録部１６、操作部３４、表示部３５、音声入力部３６、音声出力部３７及び通信部３８が接続される。また、前記ナビゲーション処理部１７には車速を検出する車速検出部としての車速センサ４４等が接続される。さらに、前記ＧＰＳセンサ１５は、自車位置及び自車方位のほかに時刻を検出する。なお、ＧＰＳセンサ１５とは独立させて方位センサを配設することができ、その場合、該方位センサによって自車方位が検出される。
【００１３】
前記データ記録部１６は、地図データファイルから成る地図データベースを備え、前記地図データベースに地図データが記録される。該地図データには、交差点（分岐点）に関する交差点データ、ノードに関するノードデータ、道路リンクに関する道路データ、探索用に加工された探索データ、施設に関する施設データ等が含まれるほか、道路上の地物に関する地物データが含まれる。
【００１４】
さらに、前記データ記録部１６には、統計データファイルから成る統計データベース、走行履歴データファイルから成る走行履歴データベース、楽曲データファイルから成る楽曲データベース等が形成され、前記統計データファイルに統計データが、前記走行履歴データファイルに走行履歴データが、いずれも実績データとして記録され、前記楽曲データファイルには楽曲データが記録される。前記楽曲データベースによって再生情報データベースが構成され、楽曲によって第１の再生情報が、楽曲データによって第２の再生情報が構成される。
【００１５】
前記データ記録部１６は、前記各種のデータを記録するために、ハードディスク、ＣＤ、ＤＶＤ、光ディスク等の図示されないディスクを備えるほかに、各種のデータを読み出したり、書き込んだりするための読出・書込ヘッド等の図示されないヘッドを備える。また、前記データ記録部１６にメモリカード等を使用することができる。なお、前記各ディスク、メモリカード等によって外部記憶装置が構成される。
【００１６】
本実施の形態においては、前記データ記録部１６に、前記地図データベース、統計データベース、走行履歴データベース、楽曲データベース等が形成されるようになっているが、データベース（ＤＢ）５８に、前記地図データベース、統計データベース、走行履歴データベース、楽曲データベース等を形成することもできる。
【００１７】
また、前記ナビゲーション処理部１７は、ナビゲーション装置１４の全体の制御を行う制御装置としての、かつ、演算装置としてのＣＰＵ３１、該ＣＰＵ３１が各種の演算処理を行うに当たってワーキングメモリとして使用されるＲＡＭ３２、制御用のプログラムのほか、目的地までの経路の探索、経路案内等を行うための各種のプログラムが記録されたＲＯＭ３３、各種のデータ、プログラム等を記録するために使用される図示されないフラッシュメモリ等を備える。なお、前記ＲＡＭ３２、ＲＯＭ３３、フラッシュメモリ等によって、内部記憶装置が構成される。
【００１８】
前記操作部３４として、表示部３５とは独立させて配設された図示されないキーボード、マウス等を使用することができる。また、前記操作部３４として、前記表示部３５に形成された画面に画像で表示された各種のキー、スイッチ、ボタン等の画像操作部をタッチすることによって、所定の入力操作を行うことができるようにしたタッチパネルを使用することができる。
【００１９】
前記表示部３５としてディスプレイが使用され、表示部３５に形成された各種の画面に、自車位置、自車方位等を表示したり、地図、探索経路、該探索経路に沿った案内情報、交通情報等を表示したり、探索経路における次の交差点までの距離、次の交差点における進行方向を表示したりすることができる。
【００２０】
また、音声入力部３６は、図示されないマイクロホン等によって構成され、音声によって必要な情報を入力することができる。さらに、音声出力部３７は、図示されない音声合成装置及びスピーカを備え、前記探索経路の経路案内を音声出力によって行う。
【００２１】
前記通信部３８は、道路交通情報センタから送信された現況の交通情報、一般情報等の各種の情報を受信するための図示されないビーコンレシーバ、各種の情報をＦＭ放送局を介してＦＭ多重放送として受信するための図示されないＦＭ受信機等を備える。そして、通信部３８は、前記情報センタ５１から、交通情報、一般情報等の情報のほかに、前記地図データ、統計データ、走行履歴データ等のデータをネットワーク６３を介して受信することができる。
【００２２】
そのために、前記情報センタ５１は、サーバ５３、該サーバ５３に接続された通信部５７、記録部としてのデータベース５８等を備え、前記サーバ５３は、制御装置としての、かつ、演算装置としてのＣＰＵ５４、ＲＡＭ５５、ＲＯＭ５６等を備える。また、前記データベース５８は、前記データ記録部１６に配設された各データベースと同様のデータベースから成り、該各データベースに、データ記録部１６に記録された各種のデータと同様のデータが記録される。そして、前記データベース５８には、更に、公演に関する情報、すなわち、公演情報が記録される。該公演情報には、公演施設の情報、例えば、コンサートホール、ライブ会場等の名称が含まれるほか、公演施設で行われる公演の要領に関する情報、例えば、公演日、開場／開演時間、公演者の名称（以下「アーティスト名」という。）、演奏される楽曲の名称（以下「演奏曲名」という。）、公演の内容に関する情報、例えば、楽曲の順番（以下「演奏曲順」という。）、音響パラメータ等が含まれる。
【００２３】
また、前記オーディオ機器１２は、前記ナビゲーション処理部１７に接続され、オーディオ機器１２の全体の制御を行うオーディオ処理部２１、該オーディオ処理部２１に接続された記録部としての、かつ、第１の再生機器としてのＭＤユニット２２、記録部としての、かつ、第２の再生機器としてのＣＤユニット２３、運転者が操作することによって所定の入力を行うための入力部としての操作部２４、各種の表示を行い、運転者に通知するための出力部としての表示部２５、及び楽曲を再生する再生部２６を備え、前記オーディオ処理部２１に、ＭＤユニット２２、ＣＤユニット２３、操作部２４、表示部２５及び再生部２６が接続される。
【００２４】
また、前記オーディオ処理部２１は、オーディオ機器１２の全体の制御を行う制御装置としての、かつ、演算装置としてのＣＰＵ４１、該ＣＰＵ４１が各種の演算処理を行うに当たってワーキングメモリとして使用されるＲＡＭ４２、制御用のプログラムが記録されたＲＯＭ４３等を備える。前記ＲＡＭ４２、ＲＯＭ４３等によって、内部記憶装置が構成される。
【００２５】
なお、前記ナビゲーションシステム、ナビゲーション処理部１７、オーディオ処理部２１、ＣＰＵ３１、４１、５４、サーバ５３等は、単独で、又は二つ以上組み合わせることによってコンピュータとして機能し、各種のプログラム、データ等に基づいて演算処理を行う。また、前記データ記録部１６、ＲＡＭ３２、４２、５５、ＲＯＭ３３、４３、５６、データベース５８、フラッシュメモリ等によって記録媒体が構成される。そして、演算装置として、ＣＰＵ３１、４１、５４に代えてＭＰＵ等を使用することもできる。
【００２６】
次に、前記構成のナビゲーションシステムの基本動作について説明する。
【００２７】
まず、運転者によって操作部３４が操作され、ナビゲーション装置１４が起動されると、ＣＰＵ３１の図示されない現在地読込処理手段は、現在地読込処理を行い、ＧＰＳセンサ１５によって検出された自車位置及び自車方位を読み込む。次に、前記ＣＰＵ３１の図示されないマッチング処理手段は、マッチング処理を行い、読み込まれた自車位置の軌跡、及び自車位置の周辺の道路を構成する各道路リンクの形状、配列等に基づいて、車両がいずれの道路リンク上に位置するかの判定を行うことによって、自車位置を特定する。
【００２８】
続いて、ＣＰＵ３１の図示されない基本情報取得処理手段は、基本情報取得処理を行い、前記地図データを、データ記録部１６から読み出して取得するか、又は通信部３８を介して情報センタ５１等から受信して取得する。なお、地図データを情報センタ５１等から取得する場合、前記基本情報取得処理手段は、受信した地図データをフラッシュメモリにダウンロードする。
【００２９】
そして、前記ＣＰＵ３１の図示されない表示処理手段は、表示処理を行い、前記表示部３５に各種の画面を形成する。例えば、表示処理手段の地図表示処理手段は、地図表示処理を行い、表示部３５に地図画面を形成し、該地図画面に周囲の地図を表示するとともに、自車位置及び自車方位を表示する。
【００３０】
したがって、運転者は、前記地図、自車位置及び自車方位に従って車両を走行させることができる。
【００３１】
また、運転者が操作部３４を操作して目的地を入力すると、ＣＰＵ３１の図示されない目的地設定処理手段は、目的地設定処理を行い、目的地を設定する。なお、必要に応じて出発地を入力し、設定することもできる。また、あらかじめ所定の地点を登録しておき、登録された地点を目的地として設定することもできる。続いて、運転者が操作部３４を操作して探索条件を入力すると、ＣＰＵ３１の図示されない探索条件設定処理手段は、探索条件設定処理を行い、探索条件を設定する。
【００３２】
このようにして目的地及び探索条件が設定されると、ＣＰＵ３１の図示されない経路探索処理手段は、経路探索処理を行い、前記自車位置、自車方位、目的地、探索条件等を読み込むとともに、データ記録部１６から探索データ等を読み出し、自車位置、自車方位、目的地、探索データ等に基づいて、自車位置で表される出発地から目的地までの経路を前記探索条件で探索し、探索経路を表す経路データを出力する。このとき、各道路リンクごとに付与されたリンクコストの合計が最も小さい経路が探索経路とされる。
【００３３】
なお、前記情報センタ５１において経路探索処理を行うことができる。その場合、ＣＰＵ３１は自車位置、自車方位、目的地、探索条件等をネットワーク６３を介して情報センタ５１に送信する。該情報センタ５１が自車位置、自車方位、目的地、探索条件等を受信すると、ＣＰＵ５４の図示されない経路探索処理手段は、ＣＰＵ３１と同様の経路探索処理を行い、データベース５８から探索データ等を読み出し、自車位置、目的地及び探索データに基づいて、出発地から目的地までの経路を前記探索条件で探索し、探索経路を表す経路データを出力する。次に、ＣＰＵ５４の図示されない送信処理手段は、送信処理を行い、前記経路データをネットワーク６３を介してナビゲーション装置１４に送信する。
【００３４】
続いて、前記ＣＰＵ３１の図示されない案内処理手段は、案内処理を行い、経路案内を行う。そのために、前記案内処理手段の経路表示処理手段は、経路表示処理を行い、前記経路データを読み込み、該経路データに従って前記地図画面に探索経路を表示する。
【００３５】
ところで、前記経路案内においては、探索経路上の所定の交差点で車両を右左折させる必要がある場合、前記交差点が案内交差点として設定され、該案内交差点において車両を右左折させるための経路案内が行われる。また、高速道路、都市高速道路、有料道路等の自動車専用の有料道において、ジャンクション等と合流したり分岐したりする交差点も案内交差点として設定される。さらに、車両が探索経路上の所定の施設、例えば、踏切を通過する場合、該踏切が案内施設として設定され、該案内施設において車両を一時停止させるための経路案内が行われる。
【００３６】
そのために、前記案内処理手段の案内点設定処理手段は、案内点設定処理を行い、経路データに従って、案内交差点、案内施設等の案内点を設定する。
【００３７】
そして、前記案内処理手段の音声出力地点設定処理手段は、音声出力地点設定処理を行い、探索経路上の前記案内点より手前の、各設定された距離だけ離れた箇所に、一つ以上、本実施の形態においては、複数の音声出力地点を設定し、各音声出力地点に車両が到達すると、前記案内処理手段の音声出力処理手段は、音声出力処理を行い、案内点について、音声出力地点ごとにあらかじめ設定された内容の案内フレーズで音声出力を行う。
【００３８】
そのために、案内フレーズが、音声出力地点から案内点までの距離ごとにあらかじめ設定され、前記データ記録部１６に案内フレーズマップとして記録される。そして、前記音声出力処理手段は、音声出力地点の位置及び自車位置を読み込み、自車位置から音声出力地点までの距離を算出し、前記案内フレーズマップを参照し、各距離に対応する案内フレーズを読み出し、音声出力を行う。
【００３９】
また、前記案内処理手段の案内点拡大図形成処理手段は、案内点拡大図形成処理を行い、車両が案内交差点に到達する前に、地図画面の所定の領域に案内交差点の拡大図、すなわち、案内点拡大図としての交差点拡大図を形成し、交差点拡大図による経路案内を行う。そのために、探索経路上の前記案内交差点より手前（自車位置側）の、設定された距離だけ離れた箇所に、案内点拡大図表示地点が設定され、車両が案内点拡大図表示地点に到達すると、前記交差点拡大図が表示される。
【００４０】
この場合、該交差点拡大図に、案内交差点の周辺の地図、探索経路、案内交差点において目印になる施設等の陸標が表示される。
【００４１】
ところで、本実施の形態においては、オーディオ機器１２とナビゲーション装置１４とが連携して動作するようになっているが、例えば、車両を走行させてライブ会場等の公演施設に向かう際に、該公演施設で行われる公演と関係する楽曲、例えば、同じアーティスト等による楽曲を聴取する場合、操作部３４を操作してデータ記録部１６に記録された楽曲の中から所望の楽曲を選択し、再生する必要があり、そのための作業が煩わしい。
【００４２】
そこで、本実施の形態においては、前記公演施設を目的地として設定すると、所望の楽曲が自動的に選択され、再生されるようになっている。
【００４３】
次に、前記構成のナビゲーションシステムを情報取得システムとして使用し、楽曲を再生する方法について説明する。
【００４４】
図２は本発明の第１の実施の形態における情報取得システムの動作を示すフローチャートである。
【００４５】
まず、運転手が操作部３４（図１）を操作して所望の目的地として公演施設を入力すると、前記目的地設定処理手段は、目的地を設定し、前記経路探索処理手段は、出発地から目的地までの経路を探索する。続いて、前記案内処理手段は、探索経路についての経路案内を開始する。
【００４６】
次に、ＣＰＵ３１の図示されない目的地判定処理手段は、目的地判定処理を行い、施設データを参照し、目的地が公演施設、例えば、ライブ会場であるかどうかを判断する。前記目的地がライブ会場である場合、ＣＰＵ３１の図示されない情報解析要求処理手段は、情報解析要求処理を行い、ネットワーク６３を介して情報センタ５１に公演施設の情報、例えば、ライブ会場の名称、公演の期日等を通知し、公演情報の解析を要求する。
【００４７】
次に、情報センタ５１において、ＣＰＵ５４の図示されない公演情報解析処理手段は、公演情報解析処理を行い、ナビゲーション装置１４から公演情報の解析の要求を受け、ライブ会場の情報が通知されると、データベース５８を参照し、ライブ会場の名称、公演の期日等に基づいて、アーティスト名を取得する。該アーティスト名によって、楽曲を検索するための検索指標が構成される。
【００４８】
続いて、ＣＰＵ５４の図示されない解析結果通知処理手段は、解析結果通知処理を行い、解析結果であるアーティスト名をナビゲーション装置１４に通知する。
【００４９】
ナビゲーション装置１４において、ＣＰＵ３１の図示されない再生情報取得処理手段は、再生情報取得処理を行い、前記アーティスト名が通知されると、アーティスト名に基づいて楽曲（楽曲名）を取得し、続いて、楽曲データを取得する。そのために、前記再生情報取得処理手段の検索処理手段は、検索処理を行い、データ記録部１６に形成された楽曲データベースを参照し、アーティスト名に対応する楽曲を検索して取得する。
【００５０】
本実施の形態においては、情報センタ５１において、公演情報として、アーティスト名が取得されるようになっているが、アーティスト名に代えて楽曲の名称を取得することができる。その場合、楽曲の名称は、ナビゲーション装置１４に通知され、前記検索処理手段は、楽曲の名称が通知されると、前記楽曲データベースを参照し、楽曲の名称に基づいて楽曲を検索する。
【００５１】
前記楽曲データベースに楽曲がある場合、前記再生情報取得処理手段のデータ取得処理手段は、データ取得処理を行い、前記楽曲データを読み出すことによって取得する。
【００５２】
続いて、ＣＰＵ３１の図示されないデータ転送処理手段は、データ転送処理を行い、新しい順に読み出された楽曲データをオーディオ機器１２に転送する。オーディオ機器１２において、ＣＰＵ４１の図示されない再生処理手段は、再生処理を行い、楽曲データを受け、再生部２６に送り、楽曲を再生する。
【００５３】
なお、本実施の形態において、楽曲データは、オーディオ機器１２に送られ、オーディオ機器１２において、前記再生処理手段は、楽曲データを再生部２６に送り、楽曲を再生するようになっているが、他の実施の形態においては、音声出力部３７において楽曲を再生することができる。そのために、ＣＰＵ３１に図示されない再生処理手段が配設され、該再生処理手段は、再生処理を行い、データ記録部１６から楽曲データを読み出すと、音声出力部３７に送り、楽曲を再生する。
【００５４】
そして、前記データ記録部１６の楽曲データベースに楽曲がない場合、前記再生情報取得処理手段のダウンロード判定処理手段は、ダウンロード判定処理を行い、表示部３５に楽曲データをダウンロードするかどうかのメッセージを表示し、運転者がダウンロードすると判断し、操作部３４を操作すると、前記再生情報取得処理手段のアップロード要求処理手段は、アップロード要求処理を行い、前記アーティスト名を情報センタ５１に送り、アップロードを要求する。
【００５５】
情報センタ５１において、ＣＰＵ５４の図示されない情報配信処理手段は、情報配信処理を行い、データベース５８を参照することによって、又は必要に応じて、インターネットで検索することによって前記アーティスト名に対応する楽曲を検索する。
【００５６】
前記データベース５８の楽曲データベースに楽曲がある場合、前記情報配信処理手段は、データベース５８から前記楽曲データを読み出し、アップロードする。前記データベース５８の楽曲データベースに楽曲がない場合、前記情報配信処理手段は、インターネットで検索することによって検索された楽曲について楽曲データを取得し、データベース５８又は図示されないフラッシュメモリに記録した後、アップロードする。
【００５７】
続いて、前記データ取得処理手段は、情報センタ５１においてアップロードされた楽曲データをダウンロードすることによって取得する。
【００５８】
次に、前記データ転送処理手段は、前記楽曲データを読み出し、オーディオ機器１２に転送する。
【００５９】
このように、本実施の形態においては、目的地が設定され、経路が探索されると、目的地がライブ会場であるかどうかが判断され、目的地がライブ会場である場合、ライブ会場に基づいてアーティスト名が取得され、該アーティスト名に基づいて、楽曲データが取得され、再生される。したがって、車両を走行させてライブ会場に向かう際に、ライブ会場で行われる公演と関係する楽曲データを容易に再生することができる。しかも、楽曲を再生するための作業を簡素化することができる。
【００６０】
次に、フローチャートについて説明する。
ステップＳ１  目的地を設定する。
ステップＳ２  経路探索処理を行う。
ステップＳ３  経路案内を開始する。
ステップＳ４  目的地がライブ会場であるかどうかを判断する。目的地がライブ会場である場合はステップＳ５に進み、ライブ会場でない場合は処理を終了する。
ステップＳ５  情報解析要求処理を行う。
ステップＳ６  アーティスト名を取得する。
ステップＳ７  検索処理を行う。
ステップＳ８  楽曲があるかどうかを判断する。楽曲がある場合はステップＳ９に、ない場合はステップＳ１０に進む。
ステップＳ９  楽曲を再生し、処理を終了する。
ステップＳ１０  楽曲データをダウンロードするかどうかを判断する。楽曲データをダウンロードする場合はステップＳ１１に、ダウンロードしない場合はステップＳ９に進む。
ステップＳ１１  ダウンロード処理を行い、ステップＳ９に進む。
【００６１】
次に、本発明の第２の実施の形態について説明する。なお、第１の実施の形態と同じ構造を有するものについては、同じ符号を付与し、同じ構造を有することによる発明の効果については同実施の形態の効果を援用する。
【００６２】
図３は本発明の第２の実施の形態における情報取得システムの動作を示すフローチャートである。
【００６３】
この場合、運転者が第１の入力部としての操作部３４を操作して目的地を入力すると、前記目的地設定処理手段は、目的地を設定する。
【００６４】
続いて、前記目的地判定処理手段は、前回の目的地が公演施設、例えば、ライブ会場であるかどうかを判断する。ライブ会場から自宅に帰るために車両を走行している場合、前回の目的地はライブ会場である。その場合、前記情報解析要求処理手段は、ネットワーク６３を介して情報提供者としての情報センタ５１に公演施設の情報、例えば、ライブ会場の名称、公演の期日等を通知し、公演情報の解析を要求する。また、前回の目的地がライブ会場でない場合、前記案内処理手段は、探索経路についての経路案内を開始する。
【００６５】
次に、情報センタ５１において、前記公演情報解析処理手段は、車載装置としての、かつ、情報端末としてのナビゲーション装置１４から公演情報の解析の要求を受け、ライブ会場の情報が通知されると、データベース５８を参照し、ライブ会場の名称、公演日等に基づいて、アーティスト名、演奏曲名、演奏曲順及び音響パラメータを取得する。なお、前記アーティスト名によって、楽曲を検索するための検索指標が、演奏曲順及び音響パラメータによって楽曲を再生するための再生変数が構成される。この場合、演奏曲名及び演奏曲順によってセットリストが構成される。
【００６６】
続いて、前記解析結果通知処理手段は、解析結果であるアーティスト名、演奏曲順及び音響パラメータをナビゲーション装置１４に通知する。
【００６７】
ナビゲーション装置１４において、前記再生情報取得処理手段は、前記アーティスト名、演奏曲順及び音響パラメータが通知されると、前記アーティスト名に基づいて楽曲（楽曲名）を取得し、楽曲データを取得する。そのために、前記再生情報取得処理手段の検索処理手段は、検索処理を行い、記録部としてのデータ記録部１６に形成された楽曲データベースを参照し、アーティスト名に対応する楽曲を検索して取得する。
【００６８】
前記楽曲データベースに楽曲がある場合、前記再生情報取得処理手段のデータ取得処理手段は、データ取得処理を行い、前記楽曲データを読み出すことによって取得する。
【００６９】
続いて、制御装置としての、かつ、演算装置としてのＣＰＵ３１の図示されない楽曲データ編集処理手段は、楽曲データ編集処理を行い、演奏曲名及び演奏曲順を読み込み、検索処理において取得された楽曲データを演奏曲順に基づいて編集し、各楽曲を演奏曲順にソートする。
【００７０】
続いて、前記楽曲データ編集処理手段は、音響パラメータを読み込み、楽曲データを音響パラメータに基づいて編集し、オーディオ機器１２のイコライザを設定する。
【００７１】
次に、前記データ転送処理手段は、データ転送処理を行い、編集された楽曲データをオーディオ機器１２に転送する。オーディオ機器１２において、制御装置としての、かつ、演算装置としてのＣＰＵ４１の図示されない再生処理手段は、再生処理を行い、楽曲データを受け、再生部２６に送り、楽曲を再生する。
【００７２】
そして、前記データ記録部１６の楽曲データベースに楽曲がない場合、前記ダウンロード判定処理手段は、第１の出力部としての表示部３５に楽曲データをダウンロードするかどうかのメッセージを表示し、運転者がダウンロードすると判断し、操作部３４を操作すると、前記アップロード要求処理手段は、前記アーティスト名を情報センタ５１に送り、アップロードを要求する。
【００７３】
情報センタ５１において、前記情報配信処理手段は、データベース５８を参照することによって、又は必要に応じてインターネットで検索することによって前記アーティスト名に対応する楽曲を検索する。
【００７４】
前記データベース５８の楽曲データベースに楽曲がある場合、前記情報配信処理手段は、データベース５８から前記楽曲データを読み出し、アップロードする。前記データベース５８の楽曲データベースに楽曲がない場合、前記情報配信処理手段は、インターネットで検索することによって検索された楽曲について楽曲データを取得し、データベース５８又は図示されないフラッシュメモリに記録した後、アップロードする。
【００７５】
続いて、前記データ取得処理手段は、情報センタ５１においてアップロードされた楽曲データをダウンロードすることによって取得する。
【００７６】
次に、前記楽曲データ編集処理手段は、演奏曲順を読み込み、検索処理において取得された楽曲データを演奏曲順に基づいて編集し、各楽曲を演奏曲順にソートする。
【００７７】
このように、本実施の形態においては、検索処理において取得された楽曲データが演奏曲順に基づいて編集され、各楽曲が演奏曲順にソートされるとともに、楽曲データが音響パラメータに基づいて編集され、オーディオ機器１２のイコライザが設定されるので、ライブにおいて演奏された各楽曲について臨場感のある再生を行うことができる。
【００７８】
次に、フローチャートについて説明する。
ステップＳ２１  目的地を設定する。
ステップＳ２２  前回の目的地がライブ会場であるかどうかを判断する。前回の目的地がライブ会場である場合はステップＳ２３に、ライブ会場でない場合はステップＳ３２に進む。
ステップＳ２３  情報解析要求処理を行う。
ステップＳ２４  アーティスト名、演奏曲順及び音響パラメータを取得する。
ステップＳ２５  検索処理を行う。
ステップＳ２６  楽曲があるかどうかを判断する。楽曲がある場合はステップＳ２９に、ない場合はステップＳ２７に進む。
ステップＳ２７  楽曲データをダウンロードするかどうかを判断する。楽曲データをダウンロードする場合はステップＳ２８に、しない場合はステップＳ３２に進む。
ステップＳ２８  ダウンロード処理を行う。
ステップＳ２９  各楽曲を演奏曲順にソートする。
ステップＳ３０  音響パラメータに基づいてイコライザを設定する。
ステップＳ３１  再生する。
ステップＳ３２  経路案内を開始し、処理を終了する。
【００７９】
本実施の形態においては、前回の目的地がライブ会場である場合に、アーティスト名、演奏曲順及び音響パラメータが取得されるようになっているが、前回の目的地がライブ会場であるかどうかにかかわらず、例えば、今回の目的地がライブ会場である場合等に、アーティスト名、演奏曲順及び音響パラメータを取得し、前記アーティスト名に対応する楽曲を検索し、楽曲データを演奏曲順及び音響パラメータに基づいて編集することができる。
【００８０】
なお、本発明は前記各実施の形態に限定されるものではなく、本発明の趣旨に基づいて種々変形させることが可能であり、それらを本発明の範囲から排除するものではない。
【図面の簡単な説明】
【００８１】
【図１】本発明の第１の実施の形態におけるナビゲーションシステムを示す図である。
【図２】本発明の第１の実施の形態における情報取得システムの動作を示すフローチャートである。
【図３】本発明の第２の実施の形態における情報取得システムの動作を示すフローチャートである。
【符号の説明】
【００８２】
１２    オーディオ機器
１４    ナビゲーション装置
１６    データ記録部
３１、４１、５４    ＣＰＵ
５１    情報センタ
５８    データベース
６３    ネットワーク
【図１】
2009008669.tif 000003
【図２】
2009008669.tif 000004
【図３】
2009008669.tif 000005